【手続補正書】
【提出日】平成23年2月17日(2011.2.17)
【手続補正１】
【補正対象書類名】特許請求の範囲
【補正対象項目名】全文
【補正方法】変更
【補正の内容】
【特許請求の範囲】
【請求項１】
エネルギー貯蔵デバイスと、
音響信号を交流（ＡＣ）電気信号に変換するように構成される、少なくとも１つの音響トランスデューサと、
該少なくとも１つの音響トランスデューサに連結され、該ＡＣ電気信号が特定のトリガ閾値を超えるときに、作動トリガ信号を生成するように構成される少なくとも１つの信号検出器であって、該信号検出器は、該特定のトリガ閾値を設定するＤＣバイアス要素を含み、該ＤＣバイアス要素は、ＤＣバイアス電圧を該信号検出器に供給するように構成される、信号検出器と、
制御回路と、
該トリガ信号に応答して医療デバイスを非動作状態と動作状態との間で切り替えるように構成される、動作停止／作動スイッチと
を備える、医療デバイス。
【請求項２】
前記信号検出器は低閾値トランジスタを含む、請求項１に記載の医療デバイス。
【請求項３】
前記バイアス要素は電圧バイアス要素であり、前記特定の閾値は電圧閾値である、請求項１に記載の医療デバイス。
【請求項４】
前記信号検出器はフローティングゲート電界効果トランジスタ（ＦＧＦＥＴ）を含み、前記バイアス要素は該ＦＧＦＥＴ内のフローティングゲートを含む、請求項１に記載の医療デバイス。
【請求項５】
前記ＦＧＦＥＴは前記フローティングゲートに電気的に連結される複数の制御ゲートを含み、該複数の制御ゲートのうちの１つは前記少なくとも１つの音響トランスデューサから前記ＡＣ電気信号を受信するように構成され、該複数の制御ゲートのうちのもう１つは直流（ＤＣ）電源に連結される、請求項４に記載の医療デバイス。
【請求項６】
前記信号検出器は強誘電体電界効果トランジスタ（ＦＥＦＥＴ）を含み、前記バイアス要素は該ＦＥＦＥＴ内の強誘電体層を含む、請求項１に記載の医療デバイス。
【請求項７】
前記信号検出器は分圧器回路を含む、請求項１に記載の医療デバイス。
【請求項８】
前記バイアス要素は少なくとも１つのプルアップインピーダンスデバイスを含む、請求項１に記載の医療デバイス。
【請求項９】
前記少なくとも１つの音響トランスデューサと直列に連結される容量性要素をさらに含み、前記バイアス要素は前記エネルギー貯蔵デバイスとは別のバッテリを含み、該バッテリは該容量性要素を充電するために該少なくとも１つの音響トランスデューサと並列に連結される、請求項１に記載の医療デバイス。
【請求項１０】
前記少なくとも１つの音響トランスデューサと直列に連結される容量性要素をさらに含み、前記バイアス要素は該少なくとも１つの音響トランスデューサに連結される１つ以上の抵抗器を含み、前記エネルギー貯蔵デバイスは該容量性要素を充電するように該１つ以上の抵抗器に連結される、請求項１に記載の医療デバイス。
【請求項１１】
前記バイアス要素は前記少なくとも１つのトランスデューサと並列に連結されるコンデンサを含み、前記制御回路は前記容量性要素を充電するように該コンデンサに動作可能に連結される、請求項１に記載の医療デバイス。
【請求項１２】
前記バイアス要素は前記少なくとも１つの音響トランスデューサと並列に連結されるショットキーダイオードを含み、該ショットキーダイオードは、前記容量性要素を充電するために前記ＡＣ電気信号の一部を整流するように構成される、請求項１１に記載の医療デバイス。
【請求項１３】
前記バイアス要素は、回路の不安定性の閾値未満で前記容量性要素を充電するように前記少なくとも１つの音響トランスデューサに連結される回路を含み、該回路は、前記ＡＣ電気信号に応答して該不安定性閾値を超えて駆動されるように構成される、請求項１１に記載の医療デバイス。
【請求項１４】
前記制御回路は、前記バイアス要素を変動させて前記特定の閾値を調整するように構成される、請求項１に記載の医療デバイス。
【請求項１５】
前記少なくとも１つの信号検出器はそれぞれ異なる閾値を有する複数の信号検出器を含み、前記制御回路は作動トリガ信号を生成するように該複数の信号検出器のうちの１つを選択することによって、前記特定の閾値を動的に調整するように構成される、請求項１に記載の医療デバイス。
【請求項１６】
前記制御回路は、環境条件を感知するためのセンサを含み、該制御回路は、該感知された環境条件に基づいて前記特定の閾値を調整するように構成される、請求項１に記載の医療デバイス。
【請求項１７】
音響信号を伝送するように構成される第１のデバイスと、
該第１のデバイスと無線通信している第２のデバイスであって、該第２のデバイスは、
エネルギー貯蔵デバイスと、
該第１のデバイスから受信される音響信号を交流（ＡＣ）電気信号に変換するように構成される少なくとも１つの音響トランスデューサと、
該少なくとも１つの音響トランスデューサに連結され、該ＡＣ電気信号が特定のトリガ閾値を超えると作動トリガ信号を生成するように構成される少なくとも１つの信号検出器であって、該特定のトリガ閾値を設定するＤＣバイアス要素を含み、該ＤＣバイアス要素は、ＤＣバイアス電圧を該信号検出器に供給するように構成される、信号検出器と、
制御回路と、
該トリガ信号に応答して該第２のデバイスを非動作状態と動作状態との間で切り替えるように構成される動作停止／作動スイッチと
を備える、第２のデバイスと
を備える、デバイスを音響的に作動させるためのシステム。
【手続補正２】
【補正対象書類名】明細書
【補正対象項目名】０００８
【補正方法】変更
【補正の内容】
【０００８】
複数の実施形態が開示される一方で、本発明の例証的実施形態を示し、記載する、以下の発明を実施するための形態から、本発明のさらに他の実施形態が当業者にとって明白となるであろう。したがって、図面および発明を実施するための形態は、制限的ではなく例証的な性質として見なされるものである。
例えば、本発明は以下の項目を提供する。
(項目１)
エネルギー貯蔵デバイスと、
音響信号を交流（ＡＣ）電気信号に変換するように構成される、少なくとも１つの音響トランスデューサと、
該少なくとも１つの音響トランスデューサに連結され、該ＡＣ電気信号が特定の閾値を超えるときに、作動トリガ信号を生成するように構成される少なくとも１つの信号検出器であって、該信号検出器は、該特定の閾値を設定するバイアス要素を含む、信号検出器と、
制御回路と、
該トリガ信号に応答して医療デバイスを非動作状態と動作状態との間で切り替えるように構成される、動作停止／作動スイッチと
を備える、医療デバイス。
(項目２)
上記少なくとも１つの音響トランスデューサは複数の音響トランスデューサを含む、項目１に記載の医療デバイス。
(項目３)
上記信号検出器は低閾値トランジスタを含む、項目１に記載の医療デバイス。
(項目４)
上記バイアス要素は電圧バイアス要素であり、上記特定の閾値は電圧閾値である、項目１に記載の医療デバイス。
(項目５)
上記信号検出器はフローティングゲート電界効果トランジスタ（ＦＧＦＥＴ）を含み、上記バイアス要素は該ＦＧＦＥＴ内のフローティングゲートを含む、項目１に記載の医療デバイス。
(項目６)
上記ＦＧＦＥＴは上記フローティングゲートに電気的に連結される複数の制御ゲートを含み、該複数の制御ゲートのうちの１つは上記少なくとも１つの音響トランスデューサから上記ＡＣ電気信号を受信するように構成され、該複数の制御ゲートのうちのもう１つは直流（ＤＣ）電源に連結される、項目５に記載の医療デバイス。
(項目７)
上記信号検出器は強誘電体電界効果トランジスタ（ＦＥＦＥＴ）を含み、上記バイアス要素は該ＦＥＦＥＴ内の強誘電体層を含む、項目１に記載の医療デバイス。
(項目８)
上記信号検出器は分圧器回路を含む、項目１に記載の医療デバイス。
(項目９)
上記バイアス要素は少なくとも１つのプルアップインピーダンスデバイスを含む、項目１に記載の医療デバイス。
(項目１０)
上記バイアス要素は、少なくとも１つの逆バイアスダイオードを含む、項目１に記載の医療デバイス。
(項目１１)
上記少なくとも１つの音響トランスデューサと直列に連結される容量性要素をさらに含む、項目１に記載の医療デバイス。
(項目１２)
上記バイアス要素は上記エネルギー貯蔵デバイスとは別のバッテリを含み、該バッテリは上記容量性要素を充電するために上記少なくとも１つの音響トランスデューサと並列に連結される、項目１１に記載の医療デバイス。
(項目１３)
上記バイアス要素は上記少なくとも１つの音響トランスデューサに連結される１つ以上の抵抗器を含み、上記エネルギー貯蔵デバイスは上記容量性要素を充電するように該１つ以上の抵抗器に連結される、項目１１に記載の医療デバイス。
(項目１４)
上記バイアス要素は上記少なくとも１つのトランスデューサと並列に連結されるコンデンサを含み、上記制御回路は上記容量性要素を充電するように該コンデンサに動作可能に連結される、項目１１に記載の医療デバイス。
(項目１５)
上記バイアス要素は上記少なくとも１つの音響トランスデューサと並列に連結されるショットキーダイオードを含み、該ショットキーダイオードは、上記容量性要素を充電するために上記ＡＣ電気信号の一部を整流するように構成される、項目１１に記載の医療デバイス。
(項目１６)
上記バイアス要素は、回路の不安定性の閾値未満で上記容量性要素を充電するように上記少なくとも１つの音響トランスデューサに連結される回路を含み、該回路は、上記ＡＣ電気信号に応答して該不安定性閾値を超えて駆動されるように構成される、項目１１に記載の医療デバイス。
(項目１７)
上記制御回路は、上記バイアス要素を変動させて上記特定の閾値を調整するように構成される、項目１に記載の医療デバイス。
(項目１８)
上記制御回路は、作動トリガ信号が生成された後の所定の期間内に確認信号が受信されない場合に、上記動作停止／作動スイッチの状態を変更するように構成される、項目１に記載の医療デバイス。
(項目１９)
上記少なくとも１つの信号検出器はそれぞれ異なる閾値を有する複数の信号検出器を含み、上記制御回路は作動トリガ信号を生成するように該複数の信号検出器のうちの１つを選択することによって、上記特定の閾値を動的に調整するように構成される、項目１に記載の医療デバイス。
(項目２０)
上記制御回路は、環境条件を感知するためのセンサを含み、該制御回路は、該感知された環境条件に基づいて上記特定の閾値を調整するように構成される、項目１に記載の医療デバイス。
(項目２１)
上記動作停止／作動スイッチは、埋込型医療デバイスを、上記エネルギー貯蔵デバイスから上記制御回路への電流のフローを実質的に制限する第１の状態から、該エネルギー貯蔵デバイスから該制御回路への電流フローを許容する第２の状態に切り替えるように構成される、項目１に記載の医療デバイス。
(項目２２)
上記医療デバイスは、１つ以上の医療機能を行うように構成される稼働要素をさらに含む、項目１に記載の医療デバイス。
(項目２３)
医療デバイスであって、
エネルギー貯蔵デバイスと、
音響信号を交流（ＡＣ）電気信号に変換するように構成される少なくとも１つの音響トランスデューサと、
該ＡＣ電気信号が特定の閾値を超えると作動トリガ信号を生成するように構成される少なくとも１つの信号検出器と、
該特定の閾値を動的に調整するために構成される制御回路と、
１つ以上の医療機能を行うように構成される稼働要素と、
該エネルギー貯蔵デバイスおよび該制御回路に連結される動作停止／作動スイッチであって、該動作停止／作動スイッチは、該作動トリガ信号に応答して、該エネルギー貯蔵デバイスから該制御回路への電流フローを防ぐ第１の状態から、該エネルギー貯蔵デバイスから該制御回路への電流フローを許容する第２の状態に変更する、動作停止／作動スイッチと
を備える、医療デバイス。
(項目２４)
音響信号を伝送するように構成される第１のデバイスと、
該第１のデバイスと無線通信している第２のデバイスであって、該第２のデバイスは、
エネルギー貯蔵デバイスと、
該第１のデバイスから受信される音響信号を交流（ＡＣ）電気信号に変換するように構成される少なくとも１つの音響トランスデューサと、
該少なくとも１つの音響トランスデューサに連結され、該ＡＣ電気信号が特定の閾値を超えると作動トリガ信号を生成するように構成される少なくとも１つの信号検出器であって、該特定の閾値を設定するバイアス要素を含む、信号検出器と、
制御回路と、
該トリガ信号に応答して該第２のデバイスを非動作状態と動作状態との間で切り替えるように構成される動作停止／作動スイッチと
を備える、第２のデバイスと
を備える、デバイスを音響的に作動させるためのシステム。